(57)【要約】【課題】  昇降式収納装置において、過積載状態の収納棚から収納物が取り出せなくなることを未然に防止できるようにする。【解決手段】  キッチン用フロアキャビネット１のカウンターの一部に形成した昇降用開口５内に配置される収納棚２と、この収納棚２をカウンター下の収納空間１４に下降させるとともに、カウンター上に上昇させる昇降機構６とを備えた昇降式収納装置において、収納棚２の過積載を検出する過積載検出手段４７を設けるとともに、過積載検出手段４７で過積載を検出した時に、前記収納棚の下降を停止させる過積載検出停止手段（制御ボックス）４０を設けた。【選択図】  図８
2006110057.tif 000002
【特許請求の範囲】
【請求項１】
キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、
前記収納棚の過積載を検出する過積載検出手段を設けるとともに、過積載検出手段で過積載を検出した時に、前記収納棚の下降を停止させる過積載検出停止手段を設けたことを特徴とする昇降式収納装置。
【請求項２】
前記過積載検出手段は、収納棚の下降速度に基づいて過積載を検出する手段であり、前記過積載検出停止手段は、前記収納棚の下降開始時に過積載検出手段で過積載を検出した時に、前記収納棚の下降を停止させることを特徴とする請求項１記載の昇降式収納装置。
【発明の詳細な説明】
【技術分野】
【０００１】
本発明は、キッチン用フロアキャビネットに設けられる昇降式収納装置に関する。
【背景技術】
【０００２】
一般に、キッチン用フロアキャビネットは、カウンター下に収納部を設けているから、収納物（皿、鍋、調味料等）を出し入れするには、調理作業等を一旦中断して屈んだ状態で収納部から収納物を出し入れする必要があった。
【０００３】
このため、フロアキャビネット上方の天袋に収納部を設けて、収納物を出し入れする際に、収納部を引き下ろせるようにしたものがある（特許文献１、２参照）。
【０００４】
しかしながら、特許文献１、２のような昇降式収納装置は、収納部を引き下ろした時でも、収納部の上段に収納物を出し入れしにくいという問題があった。
【０００５】
また、キッチンとダイニングとの間に壁面が無いオープン型の対面キッチンにおいては、設置すべき壁面が無いので、昇降式収納装置を設置しずらいという問題があった。
【０００６】
なお、昇降棚の下降中に負荷電流が所定以上になったときに、駆動装置の運転を停止させるものがある（特許文献３）。
【０００７】
そこで、本出願人は、オープン型の対面キッチンに好適で、収納物を出し入れしやすくするために、キッチン用フロアキャビネットのカウンターの一部に形成した昇降用開口内に配置される収納棚（水切り棚）と、この収納棚（水切り棚）をカウンター下の収納空間に下降させるとともに、カウンター上に上昇させる昇降機構とを備えた昇降式収納装置を提案した。
【特許文献１】特開２０００−３１６６４３号公報
【特許文献２】特開２００１−１４９２９７号公報
【特許文献３】特開２００２−２８０３８号公報
【発明の開示】
【発明が解決しようとする課題】
【０００８】
本出願人の提案に係る昇降式収納装置において、収納棚が過積載で下降したまま上昇できないで、収納棚から収納物が取り出せなくなることを未然に防止したいという要望があった。
【０００９】
本発明は、前記要望に応えるためになされたもので、過積載状態の収納棚から収納物が取り出せなくなることを未然に防止できるようにした昇降式収納装置を提供することを課題とするものである。
【課題を解決するための手段】
【００１０】
前記課題を解決するために、本発明は、キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、前記収納棚の過積載を検出する過積載検出手段を設けるとともに、過積載検出手段で過積載を検出した時に、前記収納棚の下降を停止させる過積載検出停止手段を設けたことを特徴とする昇降式収納装置を提供するものである。
【００１１】
前記過積載検出手段は、収納棚の下降速度に基づいて過積載を検出する手段であり、前記過積載検出停止手段は、前記収納棚の下降開始時に過積載検出手段で過積載を検出した時に、前記収納棚の下降を停止させる構成とすることが好ましい。
【発明の効果】
【００１２】
本発明によれば、収納棚が過積載であることを過積載検出手段で検出した時に、過積載検出停止手段で収納棚の下降を停止させるようにしたから、過積載状態で収納棚が下降したままで再上昇できなくなる不具合がなくなって、過積載時に収納棚から収納物が取り出せなくなることを未然に防止できるようになる。
【発明を実施するための最良の形態】
【００１３】
以下、本発明を実施するための最良の形態について、図面を参照しながら詳細に説明する。
【００１４】
図１はキッチン用フロアキャビネット１であって、（ａ）は水切り棚（収納棚）２が下降位置（不使用時）Ｄの斜視図、（ｂ）は水切り棚２が上昇位置（使用時）Ｕの斜視図である。図１のフロアキャビネット１は、キッチンとダイニングとの間に壁面が無いオープン型の対面キッチンを想定しているが、オープン型の対面キッチンでなくても可能である。
【００１５】
前記フロアキャビネット１のカウンターの右側位置にシンク３が設けられ、このシンク３の前方位置に水切り棚２が配置されている。なお、シンク３の側方位置に水切り棚２を配置することもできる。前記フロアキャビネット１のカウンターの左側位置にコンロ４が設けられている。ここで、左右や前後の方向の表現は、キッチン側でシンク３の前に立ってダイニング側を向いた者が見た状態としている。
【００１６】
図２（ａ）に示すように、前記フロアキャビネット１がＬ型である場合には、前記水切り棚２をコーナースペースに設けることができる。この場合には、デッドスペースとなるコーナースペースを有効に利用できるようになる。特に水切り棚２のキッチン側の左右両面を開口しておけば、食器等の収納物を出し入れしやすくなって、使い勝手が良くなる。また、具体的な図示は省略するが、前記フロアキャビネット１がＵ型である場合には、前記水切り棚２を左右のコーナースペースの少なくとも一方に設けることができる。この場合でも、前記Ｌ型のフロアキャビネット１と同様の効果を奏することができる。
【００１７】
前記水切り棚２は、フロアキャビネット１のカウンターに形成された昇降用開口５内に配置されて、この水切り棚２は、後述する昇降機構６によって、カウンター下の収納空間１４（図３参照）に下降させる下降位置Ｄと、カウンター上に上昇させる上昇位置Ｕとに昇降されるようになる。
【００１８】
前記水切り棚２には、上下２段で食器類の水切り部２ａ，２ｂが設けられ、上段の水切り部２ａの上方には、ふきん掛け部２ｃとまな板収納部２ｄとが設けられ、水切り部２ａ，２ｂの左方には、上下２段で調味料やラップ等の小物収納部２ｅが設けられている。
【００１９】
前記水切り棚２の天板２ｆは、図１（ａ）のように、下降位置Ｄでは、昇降用開口５を覆ってフロアキャビネット１のカウンター面と僅かの隙間を隔てて対向し、カウンターの一部を構成することになるから、この天板２ｆの上をカウンタースペース（作業スペース）として利用することができる。
【００２０】
この天板２ｆの右側前面位置には、水切り棚２を昇降操作するためのスイッチパネル７が取付けられ、このスイッチパネル７には、図２（ｂ）に詳細に示すように、上昇スイッチ７ａ、停止スイッチ７ｂ、下降スイッチ７ｃが設けられるとともに、点滅ランプやスピーカー等でなるトラップ給水報知・警報部７ｄ、異物挟み込み報知・警報部７ｅ、過積載報知・警報部７ｆが設けられている。
【００２１】
図６（ａ）は天板２ｆを省略した水切り棚２の斜視図、図７は水切り棚２の分解斜視図である。
【００２２】
前記水切り棚２は、横長長方形状の上部フレーム２Ａと下部フレーム２Ｂと、縦長長方形状の左側部フレーム２Ｃと右側部フレーム２Ｄとで横長四角枠状に組み立てられて、左側部フレーム２Ｃと右側部フレーム２Ｄとの間には、左側部２Ｃ寄りに、仕切り板２ｇを有する仕切りフレーム２Ｅが取付けられている。
【００２３】
前記仕切りフレーム２Ｅと右側部フレーム２Ｄとの間には、前記ふきん掛け部２ｃとまな板収納部２ｄとを支持したシャフト２ｊの両端部と、上段の水切り部２ａの両端部とが支持されているとともに、下段の水切り部２ｂは、下部フレーム２Ｂの上部で支持されている。また、下部フレーム２Ｂの下部に水受けトレー１０を取付けている。
【００２４】
前記仕切りフレーム２Ｅと左側部フレーム２Ｃとの間には、上下２段の小物収納部２ｅを区画する上段の仕切り板２ｈの両端部が支持されているとともに、下段の仕切り板２ｉは、下部フレーム２Ｂの下部で支持されている。
【００２５】
前記上段の水切り部２ａと仕切り板２ｈとは、取り外して高さ位置を調整できるようになっていることが好ましい。
【００２６】
前記上部フレーム２Ａと下部フレーム２Ｂと左側部フレーム２Ｃと右側部フレーム２Ｄとの裏面（ダイニング側）には化粧板１１が取付けられて覆われるとともに、左側部フレーム２Ｃと右側部フレーム２Ｄ、および上部フレーム２Ａには、化粧板１２ａ〜１２ｃがそれぞれ取付けられている。なお、化粧板１１が透光性であると、ダイニング側の光で水切り棚２内を明るくすることができる。
【００２７】
図３〜図５に示すように、前記昇降用開口５に対応するフロアキャビネット１の内部には、下降位置Ｄの水切り棚２を収納する収納空間１４が設けられ、この収納空間１４は、左右の側板１４Ａ，１４Ｂと底板１４Ｃとで上面が開口した略Ｕ字状に形成されている。そして、左右の側板１４Ａ，１４Ｂと底板１４Ｃとのシンク３側の面は背板１４Ｄで閉じられているととに、ダイニング側の面は点検用扉１４Ｅで開閉可能に閉じられている。
【００２８】
前記収納空間１４に換気ファンを設ければ、下降位置Ｄの水切り棚２に収納した食器等の収納物の乾きが早くなるので有利である。また、水切り棚２自体を食器乾燥機として構成することも可能である。
【００２９】
前記収納空間１４内には、水切り棚２の昇降機構６等が収納されている。すなわち、前記収納空間１４の左右の側板１４Ａ，１４Ｂの内面には、上下方向に延在して、奥行き方向に一対のガイドレール１５がそれぞれ固定され、この一対のガイドレール１５の間に位置する左右の側板１４Ａ，１４Ｂの内面には、ガイドレール１５の上端部と下端部とに対応して、上プーリ１６Ａと下プーリ１６Ｂとがそれぞれ固定されている。
【００３０】
前記水切り棚２の左側部フレーム２Ｃと右側部フレーム２Ｄとの下部には、図６（ｂ）に示すように、Ｈ字状のブラケット１７がそれぞれ固定され、各ブラケット１７には、前記対応するガイドレール１５に上下摺動可能に嵌り込む合成樹脂製のシュー１８がそれぞれ取付けられている。
【００３１】
そして、前記ブラケット１７のシュー１８がガイドレール１５で上下摺動するようにガイドされることにより、水切り棚２がカウンター下の下降位置Ｄと、カウンター上の上昇位置Ｕとに昇降動されるようになる。
【００３２】
前記収納空間１４の底板１４Ｃの左右方向のほぼ中央位置には、電動モータ２０と、この電動モータ２０でチェーン２１ａを介して駆動される２個のドラム２１Ａ，２１Ｂとが設置されて、一方のドラム２１Ａには、左側のベルト２２Ａが下方から巻き付けられて内端部が係止されるとともに、他方のドラム２１Ｂには、右側のベルト２２Ｂが上方から巻き付けられて内端部が係止されている。
【００３３】
前記左側のベルト２２Ａは、左の側板１４Ａの下プーリ１６Ｂと上プーリ１６Ａとに順に掛け回されて、その外端部が前記水切り棚２の左側部フレーム２Ｃのブラケット１７に係止されるとともに、前記右側のベルト２２Ｂは、右の側板１４Ｂの下プーリ１６Ｂと上プーリ１６Ａとに順に掛け回されて、その外端部が前記水切り棚２の右側部フレーム２Ｄのブラケット１７に係止されるようになる。
【００３４】
したがって、前記スイッチパネル７の上昇スイッチ７ａをプッシュ操作することで、電動モータ２０が正転すると、各ドラム２１Ａ，２１Ｂが図４（ａ）において矢印ａ回りに駆動されて、左右のベルト２２Ａ，２２Ｂが各ドラム２１Ａ，２１Ｂに巻き取られることで、水切り棚２の左右のブラケット１７が左右のベルト２２Ａ，２２Ｂで引っ張り上げられながらガイドレール１５でガイドされて上昇することにより、水切り棚２がカウンター上の上昇位置Ｕに上昇されるようになる。前記水切り棚２が上昇位置Ｕまで上昇されると、電動モータ２０が停止して、逆転しないようにブレーキが掛けられるとともに、上昇スイッチ７ａをさらにプッシュ操作しても電動モータ２０が正転されないように制御される。
【００３５】
前記スイッチパネル７の下降スイッチ７ｃをプッシュ操作することで、電動モータ２０のブレーキが解除されて、水切り棚２の左右のブラケット１７がガイドレール１５でガイドされて、水切り棚２が自重で下降することにより、水切り棚２がカウンター下の下降位置Ｄに下降されるようになる。なお、図４（ａ）において、１７´は、下降位置Ｄのブラケットを示している。
【００３６】
この場合、電動モータ２０を逆転させながら左右のベルト２２Ａ，２２Ｂを各ドラム２１Ａ，２１Ｂに巻き戻すようになるが、この電動モータ２０の逆転は、水切り棚２が自重で急激に下降しないようにブレーキを掛けるように設定されている。なお、下降スイッチ７ｃをプッシュ操作すると、水切り棚２がカウンター下の下降位置Ｄに自動下降されるが、下降位置Ｄの手前（例えば５０ｍｍ程度）までは、自動下降するが、それ以上の下降は、下降スイッチ７ｃをプッシュ操作し続けなければ下降しないようにすれば（いわゆる２段押し）、安全性を高めることができる。
【００３７】
また、前記スイッチパネル７の停止スイッチ７ｂをプッシュ操作すると、電動モータ２０が停止して、水切り棚２を上昇途中位置または下降途中位置でストップさせることができる。
【００３８】
前記収納空間１４の底板１４Ｃの上には、制御ボックス４０（図３参照）が取付けられ、この制御ボックス４０の制御回路に、前記電動モータ２０，各スイッチ７ａ〜７ｃ、各報知・警報部７ｄ〜７ｆ、後述する水位検出手段２９等が接続されている。
【００３９】
図８に詳細に示すように、前記水切り棚２の例えば右側部フレーム２Ｄのブラケット１７には、可変抵抗器（ボリューム…過積載検出手段）４７が取付けられている。前記可変抵抗器４７は、同図（ｂ）（ｃ）に示すように、操作軸部４７ａが左右方向に移動できるようになっていて、例えば、同図における左端位置ａでは抵抗が最小（出力電圧は最大）になり、右端位置ｂでは抵抗が最大（出力電圧は最小）となるように設定されている。
【００４０】
前記収納空間１４の底板１４Ｃの上の制御ボックス４０の制御回路に、可変抵抗器４７がリード線（不図示）で接続されている。
【００４１】
前記収納空間１４の右側板１４Ｂの内面には、前記ガイドレール１５に対して下側を外向きに傾斜させた位置検知用レール４８が取付けられ、この位置検知用レール４８のレール溝４８ａに前記可変抵抗器４７の操作軸部４７ａを係合させている。
【００４２】
そして、可変抵抗器４７の操作軸部４７ａは、水切り棚２の上昇位置Ｕでは、位置検知用レール４８のレール溝４８ａでガイドされて左端位置ａに移動するとともに、水切り棚２の下降位置Ｄでは、位置検知用レール４８のレール溝４８ａでガイドされて右端位置ｂに移動するようになる。
【００４３】
すなわち、図９（ａ）および図１０（ａ）に示すように、例えば、前記水切り棚２がカウンター面１ａから５００ｍｍの高さで上昇位置Ｕに上昇している場合には、可変抵抗器４７の操作軸部４７ａは左端位置ａにあるから、抵抗が最小で出力電圧は最大の５Ｖとなるので、５Ｖの出力電圧を制御ボックス４０の制御回路で検出すれば、水切り棚２が上昇位置Ｕであるという位置検知ができる。また、前記水切り棚２がカウンター面１ａから０ｍｍの高さで下降位置Ｄに下降している場合には、可変抵抗器４７の操作軸部４７ａは右端位置ｂにあるから、抵抗が最大で出力電圧は最小の０Ｖとなるので、０Ｖの出力電圧を制御ボックス４０の制御回路で検出すれば、水切り棚２が下降位置Ｕであるという位置検知ができる。したがって、出力電圧が５Ｖ〜０Ｖのどの位置にあるかを検出すれば、水切り棚２が５００ｍｍ〜０ｍｍのどの高さ位置にあるかが検出できるようになる。
【００４４】
一方、前記水切り棚２の水受けトレー１０の底部は、中央部が下向きに窪むように形成されて、この底部の中央部には排水口１０ａが設けられている。この排水口１０ａにフレキシブルな排水パイプ２５の一端２５ａが連結されるとともに、この排水パイプ２５の他端２５ｂは、前記収納空間１４の背板１４Ｄの内壁面に取付けた水受けマス２６の上部位置に連結されている。
【００４５】
前記水受けマス２６は、上部が開口した四角箱状であり、この水受けマス２６の下部にはＵ字状の排水トラップ２７の入口端が連結されるとともに、この排水トラップ２７の出口端には排水管２８が連結されている。この排水管２８は、前記収納空間１４の底板１４Ｃの開口１４ａから下水配管等（図示せず。）に連結されている。
【００４６】
前記排水パイプ２５の内径Ｄ１は、排水管２８の内径Ｄ２より小さく設定している。
【００４７】
また、前記排水トラップ２７内には、図４（ｂ）に示すように、排水トラップ２７内の水位Ｌを検出する水位検出手段２９が設けられている。
【００４８】
さらに、前記収納空間１４の背板１４Ｄの内壁面に取付けた水受けマス２６とほぼ同じ高さ位置に、傾斜させた水受け樋３０が背板１４Ｄの内壁面に水密状態で取付けられて、この水受け樋３０の傾斜下側は、水受けマス２６の上部位置に連結されている。この水受け樋３０は、前記昇降用開口５のほぼ真下に位置させている。
【００４９】
上記のようなフロアキャビネット１であれば、フロアキャビネット１のカウンターに形成した昇降用開口５内に設置した水切り棚２を、不使用時にはカウンター下の収納空間１４に下降させるとともに、使用時にはカウンター上に上昇させるようにしたから、キッチンとダイニングとの間に壁面が無いオープン型の対面キッチンに好適であって、水切り棚２をカウンター上に上昇させれば、屈まずに水切り棚２から収納物を出し入れできるようになる。
【００５０】
また、水切り棚２は、カウンター上に上昇させるだけであるから、水切り棚２のいずれの段にある食器等の収納物でも出し入れしやすくなるとともに、水切り棚２をカウンター下の収納空間１４に下降させれば、カウンター上面を広く使えるようになるとともに、カウンター上での別の作業の邪魔にならなくなる。
【００５１】
一方、前記水切り棚２の昇降による高さ位置は、可変抵抗器４７の出力電圧から制御ボックス４０の制御回路で検出されている。
【００５２】
そして、水切り棚２に収納した食器等の収納物が通常積載状態（例えば、制限が３０Ｋｇ以内で、実際には２０Ｋｇが積載されている状態）にある場合、水切り棚２が上昇位置Ｕから下降位置Ｄに自重で下降する時は、図１０（ｂ）に実線ａで示すように、下降開始から７０ｍｓ、８０ｍｓ、９０ｍｓの３ポイントで可変抵抗器４７の電圧変化値（ｍＶ）を検出すると、約２５０〜３００ｍＶの範囲内であって、収納物の重量が軽いので、下降速度が遅いことになる。
【００５３】
逆に、水切り棚２に収納した食器等の収納物が過積載状態（例えば、制限が３０Ｋｇ以内で、実際には５０Ｋｇが積載されている状態）にある場合、水切り棚２が上昇位置Ｕから下降位置Ｄに自重で下降する時は、図１０（ｂ）に実線ｂで示すように、下降開始から７０ｍｓ、８０ｍｓ、９０ｍｓの３ポイントで可変抵抗器４７の電圧変化値（ｍＶ）を検出すると、約４００〜４５０ｍＶの範囲内であって、収納物の重量が重いので、下降速度が早いことになる。
【００５４】
そこで、例えば電圧変化値（ｍＶ）の４００ｍＶを閾値ｃとして、下降開始から７０ｍｓ、８０ｍｓ、９０ｍｓの３ポイントで閾値ｃを越える電圧変化値（ｍＶ）であれば、過積載状態と判断することができる。
【００５５】
このように、水切り棚２の下降開始時に、過積載であることを可変抵抗器（過積載検出手段）４７で検出すると、図９（ｂ）のように、その検出信号が制御ボックス４０の制御回路に送られて、制御ボックス４０の過積載検出停止回路から昇降機構６の電動モータ２０に停止信号が送られ、電動モータ２０が緊急に停止して、水切り棚２の下降が停止されるようになる。過積載の場合、例えば５０ｍｍ程度までで水切り棚２の下降を停止することが好ましい。この電動モータ２０の緊急停止の直後に、電動モータ２０を僅かな時間だけ逆転して水切り棚２を少し上昇させるようにすれば、水切り棚２の収納物を減らすために出しやすくなる。
【００５６】
同時に、スイッチパネル７の上昇スイッチ７ａや下降スイッチ７ｃをプッシュ操作していても、これらのプッシュ操作がキャンセルされて、電動モータ２０が正転または逆転されないようになる。合わせて、スイッチパネル７の過積載報知・警報部７ｆで報知して、収納物を減らすことを促すことができる。
【００５７】
このようにして、過積載状態で水切り棚２が下降したままで再上昇できなくなる不具合がなくなって、過積載時に水切り棚２から収納物が取り出せなくなることを未然に防止できるとともに、過積載から駆動機構６を保護できるようになる。
【００５８】
また、水切り棚２の下降速度に基づいて過積載を検出するようにしたから、基本的には可変抵抗器４７を設ければ良いので、構造が簡単である。
【００５９】
前記実施形態では、水切り棚２の下降速度に基づいて過積載を検出するようにしたが、左右のベルト２２Ａ，２２Ｂに加わる負荷で過積載を検出することもできる。
【００６０】
前記実施形態は、フロアキャビネット１の昇降式収納装置として、収納棚の１つである水切り棚２を例にとったが、これに限られるものではない。
【図面の簡単な説明】
【００６１】
【図１】本発明の一実施形態を示すキッチン用フロアキャビネットであり、（ａ）は水切り棚が下降位置の斜視図、（ｂ）は水切り棚が上昇位置の斜視図である。
【図２】（ａ）はＬ型のフロアキャビネットの斜視図、（ｂ）はスイッチパネルの正面図である。
【図３】昇降式収納装置をダイニング側から見た斜視図である。
【図４】（ａ）は昇降式収納装置をダイニング側から見た正面図、（ｂ）は排水トラップの側面図である。
【図５】（ａ）は水切り棚を省略した昇降式収納装置の平面図、（ｂ）は昇降式収納装置の要部断面側面図である。
【図６】（ａ）は天板を省略した水切り棚の斜視図、（ｂ）はガイドレールとブラケットの斜視図である。
【図７】天板を省略した水切り棚の分解斜視図である。
【図８】（ａ）は可変抵抗器と位置検知用レールとの斜視図、（ｂ）は可変抵抗器の平面図、（ｃ）は可変抵抗器と位置検知用レールとの正面図である。
【図９】（ａ）は可変抵抗器の回路図、（ｂ）は過積載検出のシステム図である。
【図１０】（ａ）は水切り棚の高さと電圧との関係のグラフ、（ｂ）は水切り棚の下降経過時間と電圧変化値との関係のグラフである。
【符号の説明】
【００６２】
１      キッチン用フロアキャビネット
２      水切り棚（収納棚）
５      昇降用開口
６      昇降機構
１４    収納空間
２０    電動モータ
４０    制御ボックス（過積載検出停止手段）
４７    可変抵抗器（過積載検出手段）
４８    位置検知用レール
【図１】
2006110057.tif 000003
【図２】
2006110057.tif 000004
【図３】
2006110057.tif 000005
【図４】
2006110057.tif 000006
【図５】
2006110057.tif 000007
【図６】
2006110057.tif 000008
【図７】
2006110057.tif 000009
【図８】
2006110057.tif 000010
【図９】
2006110057.tif 000011
【図１０】
2006110057.tif 000012